(57)【要約】【課題】万が一可動窓が落下した場合であっても手指を挟むことのない上げ下げ窓の指挟み防止機構を得、上げ下げ窓の安全性をより向上させる。【解決手段】縦の窓枠２７の溝３３に沿って少なくとも一つの可動窓１５を上げ下げ自在に備えた上げ下げ窓１０の指挟み防止機構１００であって、可動窓１５の下框３１に、下框３１の長手方向に沿って設けられ窓面と平行な方向に可動自在となった横杆と、横杆の長手方向両端近傍に設けられ鉛直方向に垂設されて下框３１の下端から所定長突出される一対の感知突起４１と、下框３１の中央位置に固定されて水平方向に延在し横杆に形成された選択係止穴に挿入される係止杆と、を具備し、選択係止穴が、係止杆に対する横杆の上下方向の移動を許容する上下の長穴と、長穴から左右方向に分岐して延在し係止杆を進入させることで係止杆に対する横杆の上方向の移動を規制する係止穴と、を有する。【選択図】      図１
2008280675.tif 000002
【特許請求の範囲】
【請求項１】
縦の窓枠の溝に沿って少なくとも一つの可動窓を上げ下げ自在に備えた上げ下げ窓の指挟み防止機構であって、
前記可動窓の下框に、該下框の長手方向に沿って設けられ窓面と平行な方向に可動自在となった横杆と、
該横杆の長手方向両端近傍に設けられ鉛直方向に垂設されて前記下框の下端から所定長突出される一対の感知突起と、
前記下框の中央位置に固定されて水平方向に延在し前記横杆に形成された選択係止穴に挿入される係止杆と、を具備し、
前記選択係止穴が、前記係止杆に対する前記横杆の上下方向の移動を許容する上下の長穴と、該長穴から左右方向に分岐して延在し前記係止杆を進入させることで該係止杆に対する前記横杆の上方向の移動を規制する係止穴と、
を有することを特徴とする上げ下げ窓の指挟み防止機構。
【請求項２】
前記横杆と、前記一対の感知突起と、前記係止杆とが、前記下框の内部に設けられたことを特徴とする請求項１記載の上げ下げ窓の指挟み防止機構。
【請求項３】
前記係止杆が前記下框の室内側の面に突設され、
該係止杆及び前記横杆を覆う収容ケースが前記下框の室内側の面に取り付けられたことを特徴とする請求項１記載の上げ下げ窓の指挟み防止機構。
【請求項４】
前記横杆を覆い、且つ前記係止杆を備えた収容ケースが前記下框の室内側の面に取り付けられたことを特徴とする請求項１記載の上げ下げ窓の指挟み防止機構。
【請求項５】
前記横杆を下方向へ付勢する一対の付勢手段が、該横杆の長手方向両端近傍に設けられたことを特徴とする請求項１，２，３，４のいずれか１つに記載の上げ下げ窓の指挟み防止機構。
【発明の詳細な説明】
【技術分野】
【０００１】
本発明は、縦の窓枠の溝に沿って少なくとも一つの可動窓を上げ下げ自在に備えた上げ下げ窓の指挟み防止機構に関し、特に、可動窓の急落下における指挟みを防止する改良技術に関する。
【背景技術】
【０００２】
上下方向に開閉操作される可動窓を備えた上げ下げ窓は、窓重量と釣り合う引き上げ力を作用させて、可動窓を任意の位置に静止させたり、可動窓を小さな力で上下させたりするバランサーを備えるものがある。この種のバランサーとしては、窓枠の上部に取付けた渦巻きバネから繰り出されるワイヤで可動窓を吊持して窓重量と釣り合う平衡力を作用させるようにしたものや、室内側窓と室外側窓とを上部に配設した滑車を介してワイヤで吊持し窓重量をバランスさせたものなどが知られている。
【０００３】
ところが、ワイヤにて可動窓を吊持するバランサーでは、何らかの原因でワイヤが切断した場合には可動窓が落下してしまう問題があった。このような不具合を解消したものに、例えば特許文献１に開示される上げ下げ窓がある。この上げ下げ窓は、バランサーを一つの可動窓につき左右二つ設け、左右のバランサーから垂下された一対のワイヤを可動窓に移動可能に設けた連結部材の左右に接続する。通常時は左右のワイヤの張力が平衡状態を保っており、この平衡状態が崩れた時に連結部材が張力の大きいワイヤ側に引っ張られ、縦の窓枠に圧接するように構成し、バランサーの平衡状態が崩れた時に可動窓の急激な落下を防止し、安全性の向上が図られるようになされていた。
【特許文献１】特開２００１−２０７７２２号公報
【特許文献２】特開２００２−２４２５２７号公報
【発明の開示】
【発明が解決しようとする課題】
【０００４】
しかしながら、特許文献２に開示される上げ下げ窓の窓吊り係止具は、ワイヤが可動窓を吊持している状態で、付勢手段に抗しながら揺動ブレーキ片を縦の窓枠から離間する位置に保持し、ワイヤが切断したときには、ワイヤの張力消失で揺動ブレーキ片を付勢手段により突出し、縦の窓枠に接触させることにより可動窓の落下を防止するようにされるが、バランサー内の渦巻きバネ等が破損したときにはワイヤに或る程度の張力が作用するため、揺動ブレーキ片が突出せずに、可動窓が急激に落下する虞があった。また、バランサー内の渦巻きバネが破損したり、平衡力を出力する軸部が脱落、或いは折れた場合にも、同様の事態が想定された。さらに、従来の上げ下げ窓は、平衡状態が崩れた時に張力の大きいワイヤ側に連結部材を引っ張り、縦の窓枠に圧接するように構成するため、例えば、一方のワイヤが切断していた場合、斜めになったまま可動窓の昇降動作が行われることとなり、そのまま使い続けられると、他方のワイヤに過剰な張力がかかり、窓の落下の危険性が増大した。このような事情から、上げ下げ窓には可動窓の急落下に伴う指挟みが生じないようにするため、さらなる安全対策が採られることが望ましい。
【０００５】
本発明は上記状況に鑑みてなされたもので、万が一可動窓が落下した場合であっても手指を挟むことのない上げ下げ窓の指挟み防止機構を提供し、もって、上げ下げ窓の安全性向上を図ることを目的とする。
【課題を解決するための手段】
【０００６】
次に、上記の課題を解決するための手段を、実施の形態に対応する図面を参照して説明する。
本発明の請求項１記載の上げ下げ窓の指挟み防止機構は、縦の窓枠２７の溝３３に沿って少なくとも一つの可動窓１５を上げ下げ自在に備えた上げ下げ窓１０の指挟み防止機構１００であって、
前記可動窓１５の下框３１に、該下框３１の長手方向に沿って設けられ窓面と平行な方向に可動自在となった横杆４３と、
該横杆４３の長手方向両端近傍に設けられ鉛直方向に垂設されて前記下框３１の下端から所定長突出される一対の感知突起４１と、
前記下框３１の中央位置に固定されて水平方向に延在し前記横杆４３に形成された選択係止穴４９に挿入される係止杆４７と、を具備し、
前記選択係止穴４９が、前記係止杆４７に対する前記横杆４３の上下方向の移動を許容する上下の長穴４９ａと、該長穴４９ａから左右方向に分岐して延在し前記係止杆４７を進入させることで該係止杆４７に対する前記横杆４３の上方向の移動を規制する係止穴４９ｂ，４９ｃと、
を有することを特徴とする。
【０００７】
この上げ下げ窓の指挟み防止機構では、一方のワイヤ２３ａが切れた後、残り１つのワイヤ２３ｂが切れ、可動窓１５が傾いて落下すると、先に先端が下の窓枠３７に当接した一方の感知突起４１によって横杆４３が横方向へスライドし、係止杆４７が選択係止穴４９の係止穴４９ｂに進入する。これにより、横杆４３の真っ直ぐな上方向の移動が規制されることで、当該感知突起４１が突出状態に固定される。したがって、可動窓１５と下の窓枠３７との間には、後退しない感知突起４１の突出分の間隙Ｄが形成されることとなる。
【０００８】
請求項２記載の上げ下げ窓の指挟み防止機構は、前記横杆４３と、前記一対の感知突起４１と、前記係止杆４７とが、前記下框３１の内部に設けられたことを特徴とする。
【０００９】
この上げ下げ窓の指挟み防止機構では、指挟み防止機構の構成部材が全て下框３１内に収容され、指挟み防止機構１００を備えない可動窓１５と外観が略同一となり、窓としての意匠性を損ねることなく、指挟み防止の機能を付加させることが可能となる。
【００１０】
請求項３記載の上げ下げ窓の指挟み防止機構は、前記係止杆４７が前記下框３１の室内側の面に突設され、
該係止杆４７及び前記横杆４３Ａを覆う収容ケース６１が前記下框３１の室内側の面に取り付けられたことを特徴とする。
【００１１】
この上げ下げ窓の指挟み防止機構では、既設の上げ下げ窓１０に、後付で係止杆４７、横杆４３Ａ、収容ケース６１が容易に付設可能となり、且つ係止杆４７が下框３１に固定されることで、係止杆４７の高い固定強度が得られる。
【００１２】
請求項４記載の上げ下げ窓の指挟み防止機構は、前記横杆４３Ａを覆い、且つ前記係止杆４７を備えた収容ケース６１が前記下框３１の室内側の面に取り付けられたことを特徴とする。
【００１３】
この上げ下げ窓の指挟み防止機構では、予め係止杆４７が収容ケース６１に固定されることで、収容ケース６１の固定によって係止杆４７も同時に取り付け完了する。
【００１４】
請求項５記載の上げ下げ窓の指挟み防止機構は、前記横杆４３を下方向へ付勢する一対の付勢手段４５が、該横杆４３の長手方向両端近傍に設けられたことを特徴とする。
【００１５】
この上げ下げ窓の指挟み防止機構では、仮に、傾いた状態で可動窓１５が落下し、係止杆４７が係止穴４９に進入して感知突起４１が突出状態となった場合であっても、可動窓１５を上昇させれば、付勢手段４５の付勢力によって横杆４３が作動前（スライド前）の位置に復帰する。
【発明の効果】
【００１６】
本発明に係る請求項１記載の上げ下げ窓の指挟み防止機構によれば、一対の感知突起を垂設した横杆を下框の長手方向に沿って可動自在に設け、下框に固定される係止杆を横杆の選択係止穴に挿入し、選択係止穴を、上下の長穴と、この長穴から左右に分岐して係止杆を進入させることで横杆の上方向の移動を規制する係止穴とで形成したので、残り１つのワイヤが切れ、可動窓が傾いて落下すると、先に先端が下の窓枠に当接した一方の感知突起によって横杆が横方向へスライドし、係止杆が選択係止穴の係止穴に進入する。これにより、横杆の上方向の移動が規制されることで、当該感知突起が突出状態に固定される。したがって、可動窓と下の窓枠との間には、感知突起の突出分の間隙が形成されることとなる。この結果、万が一可動窓が落下した場合であっても手指を挟むことがなく、上げ下げ窓の安全性を向上させることができる。
【００１７】
請求項２記載の上げ下げ窓の指挟み防止機構によれば、横杆と、一対の感知突起と、係止杆とが、下框の内部に設けられたので、指挟み防止機構の構成部材全を下框内に収容でき、指挟み防止機構を備えない可動窓と外観を略同一にでき、見栄えの低下を防止することができる。
【００１８】
請求項３記載の上げ下げ窓の指挟み防止機構によれば、係止杆が下框の室内側の面に突設され、係止杆及び横杆を覆う収容ケースが下框の室内側の面に取り付けられたので、既設の上げ下げ窓に、後付で容易に付設でき、且つ係止杆を下框に固定するので、係止杆の固定強度を高めることができる。
【００１９】
請求項４記載の上げ下げ窓の指挟み防止機構によれば、横杆を覆い、且つ係止杆を備えた収容ケースが下框の室内側の面に取り付けられたので、予め係止杆を収容ケースに固定しておくことで、収容ケースの固定によって係止杆も同時に取り付け完了し、後付け指挟み防止機構の取り付け性を良好にすることができる。
【００２０】
請求項５記載の上げ下げ窓の指挟み防止機構によれば、横杆を下方向へ付勢する一対の付勢手段が、横杆の長手方向両端近傍に設けられたので、仮に、傾いた状態で可動窓が落下し、係止杆が係止穴に進入して感知突起が突出状態となった場合であっても、可動窓を上昇させれば、付勢手段の付勢力によって横杆が作動前（スライド前）の位置に復帰し、横杆が正規の位置となって、指挟み防止機構を自動でリセットすることができる。
【発明を実施するための最良の形態】
【００２１】
以下、本発明に係る上げ下げ窓の指挟み防止機構の好適な実施の形態を図面を参照して詳細に説明する。
図１は本発明に係る指挟み防止機構を備えた上げ下げ窓の室内側から見た正面図である。
上げ下げ窓１０は、四角枠状に構成された窓枠１１の内部に、外窓１３と、内窓１５とを設け、少なくとも一方の内窓１５が可動窓となって縦の窓枠２７，２７の溝３３に沿って昇降自在とされる。内窓１５は室内側下方に、外窓１３は室外側上方にそれぞれ配置されて閉鎖状態となる。
【００２２】
上部横の窓枠１７の左右両端には荷重平衡手段である渦巻きバネ式等のバランサー装置１９，１９が配設され、バランサー装置１９，１９は繰り出された吊りワイヤ２３，２３が内窓１５の縦框２５，２５の下部に設けられたプーリー２１，２１に張架された後、内窓１５に固定されている。
【００２３】
図示は省略するが、渦巻きバネ式バランサー装置１９は、内設された渦巻きバネにより内窓１５の重量と平衡を保ち、内窓１５を小さな力で開閉できるようにするとともに、任意の高さ位置で停止可能として、開放位置で保持できる。すなわち、内窓１５の閉止時には下降方向への閉止操作力が必要となる。なお、図中、３１は可動窓１５の下框、３７は下の窓枠、３９は内窓１５に嵌められたガラスを表す。
【００２４】
図２は図１に示した下框内部を表す要部正面図、図３は指挟み防止機構の分解斜視図である。
内窓１５の下框３１には横杆４３が下框３１の長手方向に沿って設けられ、横杆４３は窓面（ガラス３９面）と平行な方向である上下左右の方向に可動自在となる。横杆４３のの長手方向両端近傍には一対の感知突起４１，４１が設けられ、感知突起４１，４１は鉛直方向に垂設されて下框３１の下端から所定長突出される。
【００２５】
下框３１の内部中央位置には係止杆４７が固定され、係止杆４７は下框３１の厚み方向となる水平方向に延在し、横杆４３に形成された選択係止穴４９に挿入される。係止杆４７は基端部がベース板５１に固定され、このベース板５１が下框３１の内壁等に複数のビスにより固定されることで、強固に取り付けられている。これは、内窓１５の落下時の荷重がこの係止杆４７で受けられるためである。
【００２６】
横杆４３は、選択係止穴４９に係止杆４７を挿通した状態で、下框３１の内部に収容され、塞ぎ板５４によって覆われる。また、下框３１の下面には一対の切欠５３，５３が形成され、切欠５３，５３は感知突起４１，４１を下框３１の内部から外部へと突出させる。さらに、下框３１の内部天面と横杆４３上面との間には一対の付勢手段であるコイルバネ４５，４５が配設され、コイルバネ４５，４５は横杆４３を下方向へ付勢する。コイルバネ４５，４５は、横杆４３の長手方向両端近傍にそれぞれ設けられている。
【００２７】
図４は係止杆と選択係止穴との挿嵌状態を表した指挟み防止機構の要部拡大正面図、図５は係止杆が係止穴へ進入した状態の選択係止穴の拡大正面図、図６は係止杆が長穴の下端へ相対移動された状態の選択係止穴の拡大正面図である。
選択係止穴４９は、係止杆４７に対する横杆４３の上下方向の移動を許容する上下の長穴４９ａと、長穴４９ａから左右方向に分岐して延在し係止杆４７を進入させることで係止杆４７に対する横杆４３の上方向の移動を規制する係止穴４９ｂ，４９ｃとからなる。本実施の形態では、係止穴４９ｂ，４９ｃは、長穴４９ａに接続する分岐部が狭く、長穴４９ａより短い上下方向の長穴に形成されている。
【００２８】
図４に示すように、通常状態において、横杆４３は、コイルバネ４５，４５の付勢力によって、下方へ押し下げられ、その結果、感知突起４１，４１が下框３１の下面から突出されている。この状態で、横杆４３の選択係止穴４９は、長穴４９ａの上端部に係止杆４７を配置している。例えばこの状態から、内窓１５が左右いずれかに傾いて落下し、下側となった感知突起４１の先端が下の窓枠３７に当接して斜め上方向へ反力を受けると、図５に示すように、横杆４３が斜め上へ移動され、その結果、係止杆４７が係止穴４９ｂへ進入するよう相対移動する。係止杆４７は、係止穴４９ｂに進入することで、係止穴４９ｂの底部に当接して横杆４３のそれ以上の上昇を阻止する。
【００２９】
一方、内窓１５が一対の吊りワイヤ２３，２３に支持されて、平行に昇降される場合では、感知突起４１，４１が下の窓枠３７に当接すると、図６に示すように、係止杆４７が長穴４９ａの下方向に相対移動し、その結果、横杆４３が上端まで押し上げられることで、感知突起４１，４１が下框３１内へと後退するようになっている。
【００３０】
また、本実施の形態では、横杆４３と、一対の感知突起４１，４１と、係止杆４７とが、下框３１の内部に設けられたので、指挟み防止機構１００の構成部材全を下框３１内に収容でき、指挟み防止機構１００を備えない内窓と外観を同一にでき、見栄えの低下を防止することができる。
【００３１】
次に、上記した上げ下げ窓の指挟み防止機構１００の作用ほ説明する。
図７は残り１つのワイヤが切れて傾いた可動窓を表す正面図、図８は傾いた可動窓が落下して係止杆が係止穴に進入した状態の正面図、図９は傾いた可動窓が落下して着地した状態の正面図である。
上げ下げ窓１０では、図７に示すように、例えば一方の吊りワイヤ２３ａがワイヤ中途部５５で切れ、他方の吊りワイヤ２３ｂのみで吊られた場合、切れたワイヤ側に傾いて、すなわち一方の（図中左側）縦框２５ａが他方の（図中右側）縦框２５ｂより低く傾いて、内窓１５が昇降される状態となる。
【００３２】
そして、残り１つのワイヤ２３ｂが切れると、内窓１５は傾いたままの状態で、図８に示すように、落下することとなり、先に先端が下の窓枠３７に当接した一方の感知突起４１によって、横杆４３が横方向へスライドすることとなって、係止杆４７が選択係止穴４９の係止穴４９ｂに進入する。これにより、横杆４３の上方向の移動が規制されることで、感知突起４１，４１が突出状態に固定される。したがって、図９に示すように、内窓１５と下の窓枠３７との間には、感知突起４１，４１の突出分の間隙Ｄが形成されることとなる。
【００３３】
また、上記のように傾いた状態で内窓１５が落下し、係止杆４７が係止穴４９ｂ，４９ｃに進入して、感知突起４１，４１が突出状態となった場合であっても、内窓１５を上昇させれば、コイルバネ４５，４５の付勢力及び復元力によって横杆４３が作動前（スライド前）の位置に復帰することとなる。
【００３４】
したがって、上記の上げ下げ窓の指挟み防止機構１００によれば、一対の感知突起４１，４１を垂設した横杆４３を下框３１の長手方向に沿って可動自在に設け、下框３１に固定される係止杆４７を横杆４３の選択係止穴４９に挿入し、選択係止穴４９を、上下の長穴４９ａと、この長穴４９ａから左右に分岐して係止杆４７を進入させることで横杆４３の上方向の移動を規制する係止穴４９ｂ，４９ｃとで形成したので、残り１つのワイヤ２３ａが切れ、内窓１５が傾いて落下すると、先に先端が下の窓枠３７に当接した感知突起４１によって横杆４３が横方向へスライドし、係止杆４７が選択係止穴４９の係止穴４９ｂに進入する。
【００３５】
これにより、横杆４３の上方向の移動が規制されることで、感知突起４１，４１が突出状態に固定される。したがって、内窓１５と下の窓枠３７との間には、感知突起４１，４１の突出分の間隙Ｄが形成されることとなる。この結果、万が一内窓１５が落下した場合であっても内窓１５によって手指を挟むことがなく、上げ下げ窓１０の安全性を向上させることができる。
【００３６】
また、横杆４３を下方向へ付勢する一対のコイルバネ４５，４５が、横杆４３の長手方向両端近傍に設けられたので、仮に、傾いた状態で内窓１５が落下し、係止杆４７が係止穴４９ｂ，４９ｃに進入して感知突起４１，４１が突出状態となった場合であっても、内窓１５を上昇させれば、コイルバネ４５，４５の付勢力及び復元力によって横杆４３が作動前（スライド前）の位置に復帰し、横杆４３が正規の位置となって、指挟み防止機構１００を自動でリセットすることができる。
【００３７】
図１０は後付けタイプによる変形例の指挟み防止機構を表す分解斜視図、図１１は図１０に示した係止杆の係合位置と感知突起の突出距離との相関を表した要部拡大正面図である。なお、図１〜図９に示した部材と同一の部材には同一の符号を付し、重複する説明は省略するものとする。
上記した実施の形態による上げ下げ窓の指挟み防止機構１００は、工場出荷時に指挟み防止機構１００を下框３１内にセットできる内蔵型の例、すなわち指挟み防止機構を内蔵した内窓１５とした例で説明したが、本発明に係る指挟み防止機構は、既設の上げ下げ窓１０に付設する後付け型のものとすることもできる。
後付け型の指挟み防止機構１００Ａは、係止杆４７が下框３１の室内側の面に、ビス６３によって固定されて突設される。また、係止杆４７及び横杆４３Ａを覆う収容ケース６１が、下框３１の室内側の面に取り付けられる。収容ケース６１は、鍔部６７，６７に穿設した取り付け穴６９，６９にビス７１が挿通され、このビス７１が縦框２５，２５のビス穴６５に螺合されることで取り付けられる。なお、横杆４３Ａには感知突起４１Ａ，４１Ａが垂設さる。また、横杆４３Ａには上記した長穴４９ａの上部の省略された選択係止穴４９Ａが形成される。
【００３８】
この変形例による選択係止穴４９Ａは、長穴４９Ａａの上端が左右に下が係止穴４９Ａｂ，４９Ａｃに連結された矢印型に形成されている。ここで、長穴４９Ａａの上下長を（α＋Ｄ）、長穴４９Ａａの上端から係止穴４９Ａｂ，４９Ａｃの下端までの距離をα、係止穴４９Ａｂ，４９Ａｃの下端から長穴４９Ａａの下端までの距離をＤとすれば、係止杆４７が係止穴４９Ａｂに係止して、横杆４３Ａの上昇が阻止された結果、突出状態となる感知突起４１Ａの突出長は図示するようにＤとなる。但し、下框３１の底板の板厚は無視するものとする。
【００３９】
この変形例では、既設の上げ下げ窓１０に、後付で係止杆４７、横杆４３Ａ、収容ケース６１が容易に付設可能となり、且つ係止杆４７が下框３１に固定されることで、係止杆４７の高い固定強度が得られる。
【００４０】
また、後付けの変形例では、横杆４３Ａを覆い、且つ係止杆４７を備えた収容ケース６１を、下框３１の室内側の面に取り付けるユニット構成としてもよい。このように、予め係止杆４７を収容ケース６１に固定しておくことで、収容ケース６１のみの固定によって係止杆４７も同時に取り付け完了し、後付け指挟み防止機構１００Ａの取り付け性を一層良好にすることができる。
【００４１】
なお、図示していないが、上述した各例において、感知突起４１，４１Ａが当接する下の窓枠３７に、その当接をより確実なものとし、或いは、突出長の調整などに対応させるために、例えば断面Ｌ字状のアングル材等を付設することとしてもよい。すなわち、感知突起４１，４１Ａが当接する構成であり、また既設の内窓１５に対して後付け構成の例では内窓１５よりも突出した位置に感知突起が配置されることから、これに対応する位置に当接部材として配設することとしてもよい。
【図面の簡単な説明】
【００４２】
【図１】本発明に係る指挟み防止機構を備えた上げ下げ窓の室内側から見た正面図である。
【図２】図１に示した下框内部を表す要部正面図である。
【図３】指挟み防止機構の分解斜視図である。
【図４】係止杆と選択係止穴との挿嵌状態を表した指挟み防止機構の要部拡大正面図である。
【図５】係止杆が係止穴へ進入した状態の選択係止穴の拡大正面図である。
【図６】係止杆が長穴の下端へ相対移動された状態の選択係止穴の拡大正面図である。
【図７】残り１つのワイヤが切れて傾いた可動窓を表す正面図である。
【図８】傾いた可動窓が落下して係止杆が係止穴に進入した状態の正面図である。
【図９】傾いた可動窓が落下して着地した状態の正面図である。
【図１０】後付けタイプによる変形例の指挟み防止機構を表す分解斜視図である。
【図１１】図１０に示した係止杆の係合位置と感知突起の突出距離との相関を表した要部拡大正面図である。
【符号の説明】
【００４３】
１０…上げ下げ窓
１５…可動窓（内窓）
２７…縦の窓枠
３１…下框
３３…溝
４１…感知突起
４３…横杆
４５…付勢手段（コイルバネ）
４７…係止杆
４９…選択係止穴
４９ａ…長穴
４９ｂ，４９ｃ…係止穴
６１…収容ケース
１００…上げ下げ窓の指挟み防止機構
【図１】
2008280675.tif 000003
【図２】
2008280675.tif 000004
【図３】
2008280675.tif 000005
【図４】
2008280675.tif 000006
【図５】
2008280675.tif 000007
【図６】
2008280675.tif 000008
【図７】
2008280675.tif 000009
【図８】
2008280675.tif 000010
【図９】
2008280675.tif 000011
【図１０】
2008280675.tif 000012
【図１１】
2008280675.tif 000013